(57)【要約】【課題】  コンセントからプラグを外した際には、カバーが自動的に閉塞されるコンセントカバー装置を提供すること。ベースを提供すること。【解決手段】  壁に取り付けられたコンセントを受容する孔を有し、前記コンセントを前記孔に受容した状態で前記壁に固定されるベースプレートと、前記ベースプレートにヒンジによって開閉自在に取り付けられ、閉塞することによって前記コンセントの表面を覆うカバーとを備え、前記カバーを閉塞方向に付勢するスプリングと、前記スプリングの付勢力によって前記カバーが閉塞される際に自動的に前記カバーを前記ベースプレートに係止する係止手段と、前記係止手段による前記カバーの係止を解除するための操作部とを具備することを特徴とする。【選択図】図２
2006236677.tif 000002
【特許請求の範囲】
【請求項１】
壁に取り付けられたコンセントを受容する孔を有し、前記コンセントを前記孔に受容した状態で前記壁に固定されるベースプレートと、前記ベースプレートにヒンジによって開閉自在に取り付けられ、閉塞することによって前記コンセントの表面を覆うカバーとを備え、前記カバーを閉塞方向に付勢するスプリングと、前記スプリングの付勢力によって前記カバーが閉塞される際に自動的に前記カバーを前記ベースプレートに係止する係止手段と、前記係止手段による前記カバーの係止を解除するための操作部とを具備することを特徴とするコンセントカバー装置。
【請求項２】
前記操作部が２箇所に設けられ、その２箇所の操作部を同時期に操作したときに前記係止手段による前記カバーの係止が解除された状態となるように構成されていることを特徴とする請求項１に記載のコンセントカバー装置。
【請求項３】
前記した２箇所に設けられた操作部は、前記カバーの反対側の側部に位置することを特徴とする請求項２に記載のコンセントカバー装置。
【発明の詳細な説明】
【技術分野】
【０００１】
本発明は、コンセントカバー装置に関する。
【背景技術】
【０００２】
使用されていないコンセントは、プラグ差込口が露出した状態にある。このように、コンセントのプラグ差込口が露出したままになっていると、幼児等がプラグ差込口に金属片等の導体を差し込み、感電したりショートを起こすことがあり、また、長期間使用されていない場合には、プラグ差込口に塵埃が付着し、使用時に接触不良を起こす虞がある。
【０００３】
そこで、このような問題を解決するべく、コンセント本体のプラグ差込口の周縁に、カバーの一辺をヒンジによって取り付けるとともに、カバーの他辺を係止手段によってコンセント本体に着脱自在に係止するコンセントが提供されている（例えば、特許文献１）。
【特許文献１】実開平４−８１４７４号公報（図２参照）
【発明の開示】
【発明が解決しようとする課題】
【０００４】
特許文献１に開示されたコンセントでは、カバーの上縁がヒンジによって取り付けられているのでカバーは自重で閉塞される。しかし、係止手段が成人の力相当の力でなければ開けることができない程度の係止力に設定されているため、カバーを相当の力で押し込まないと、カバーを係止することができず、カバーの係止を忘れた場合には、幼児等によってカバーが容易に開放されてしまう。
本発明は、かかる問題点を解決するためになされたもので、コンセントからプラグを外した際には、カバーが自動的に閉塞されるコンセントカバー装置を提供することを目的とする。
【課題を解決するための手段】
【０００５】
請求項１記載のコンセントカバー装置は、壁に取り付けられたコンセントを受容する孔を有し、前記コンセントを前記孔に受容した状態で前記壁に固定されるベースプレートと、前記ベースプレートにヒンジによって開閉自在に取り付けられ、閉塞することによって前記コンセントの表面を覆うカバーとを備え、前記カバーを閉塞方向に付勢するスプリングと、前記スプリングの付勢力によって前記カバーが閉塞される際に自動的に前記カバーを前記ベースプレートに係止する係止手段と、前記係止手段による前記カバーの係止を解除するための操作部とを具備することを特徴とする。この場合の操作部は往復直線動作するものでも、所定の軸を中心に往復回動動作するものであってもよい。
【０００６】
請求項２記載のコンセントカバー装置は、請求項１に記載のコンセントカバー装置において、前記操作部が２箇所に設けられ、その２箇所の操作部を同時期に操作したときに前記係止手段による前記カバーの係止が解除された状態となるように構成されていることを特徴とする。操作部は２箇所以上あってもよいが、３箇所以上となった場合には操作性が悪くなるので、２箇所とすることが好ましい。
【０００７】
請求項３記載のコンセントカバー装置は、請求項２に記載のコンセントカバー装置において、前記した２箇所に設けられた操作部は、前記カバーの反対側の側部に位置することを特徴とする。この場合、コンセントの差込口が２つ以上設けられているものでは、その差込口が並んでいる方向に２箇所の操作部が離れて設けられていることが好ましい。
【発明の効果】
【０００８】
請求項１の発明によれば、コンセントからプラグを外した際には、スプリングの付勢力によって、カバーが自動的に閉塞され、かつベースプレートに係止されるので、カバーの係止忘れがなく、安全を確保することができる。
【０００９】
請求項２の発明によれば、２箇所の操作部を操作しないと、カバーを開放することができないので、幼児等によってカバーが開放される虞はない。
【００１０】
請求項３の発明によれば、２箇所の操作部がより離れた箇所にあるので、幼児等によってカバーが開放される虞はさらにない。
【発明を実施するための最良の形態】
【００１１】
図１は本発明に係るコンセントカバー装置を示す斜視図、図２は図１に示すカバー装置の分解斜視図、図３は図１に示すカバー装置におけるヒンジの一部を切欠いて示す斜視図、図４はカバーが開放された状態を示す斜視図、図５は図１におけるV―V線断面図で、カバー装置を壁に取り付けた状態を示す断面図、図６（Ａ）〜（Ｃ）は図１に示すカバー装置における係止手段の動作図である。
【００１２】
コンセントカバー装置１は、図４に示すように、壁に取り付けられたコンセント２の表面部２ａを露出させるように前記壁に固定されるベースプレート１０と、このベースプレート１０の表面を覆うカバー２０とを備えている。
【００１３】
ベースプレート１０は、図２に示すように、コンセント２の表面部２ａを露出させるための矩形の孔１１を中央に有している。また、ベースプレート１０はヒンジ収容部１２を一方の側縁に有している。ベースプレート１０にはねじ挿通孔１３および後述する係止手段の操作部の爪を収容する矩形の孔１４が上下両端縁に形成されている。さらに、孔１４の内奥側面には、図６に示すように、操作部の爪が係合する段部１４ａが形成されている。
【００１４】
カバー２０は、裏面側に向けて開口する矩形皿状の表面板２１と、この表面板２１の開口を覆うリッド２２とを備えている。
表面板２１は、ヒンジのリーフ部分を収容する切欠き２３を一方の側壁に有している。また、表面板２１は、後述する係止手段の操作部を収容する切欠き２４を上下端壁に有している。さらに、この表面板２１の中央には、キャラクタ等が表示されている装飾板２５を収容する円形孔２６が形成されている。装飾板２５は円形を成し、周縁にフランジ２５ａを有している。そして、装飾板２５は、表面板２１の裏側から孔２６に挿入されるようになっている。装飾板２５が孔２６に挿入された状態では、装飾板２５のフランジ２５ａは表面板２１の円形孔２６の縁裏側部分に当接される。表面板２１の裏側にはリッド２２が取り付けられるので、装飾板２５のフランジ２５ａは表面板２１とリッド２２によって挟持された状態で保持される。このようにして表面板２１に設けられる装飾板２５は指にて回転させることができる。
一方、リッド２２は、ヒンジ２７を収容する切欠き２８を一方の側部に有している。また、リッド２２は、後述する係止手段の操作部の爪を収容する矩形の孔２９を上下端部に有している。さらに、リッド２２の中央部には、表面側（表面板２１側）が凸で裏面側が凹となるような段部３０が形成されている。また、リッド２２の４隅には、リッド２２を表面板２１に対してねじ止めするのに使用されるねじ挿通孔３１が形成されている。
【００１５】
ヒンジ２７はヒンジ片３２，３３から構成されている。中央のヒンジ片３２はベースプレート１０側に取り付けられる。このヒンジ片３２は、ベースプレート１０にねじ止めされるリーフ３２ａと、このリーフ３２ａと一体的に形成されたナックル３２ｂとから構成されている。他方のヒンジ片３３はカバー２０側に取り付けられる。このヒンジ片３３は、表面板２１にねじ止めされるリーフ３３ａと、このリーフ３３ａと一体的に形成されたナックル３３ｂとから構成されている。また、このヒンジ片３３のナックル３３ｂの一端には、前記ナックル３２ｂに内側で嵌合する軸３４が付設されている。
一方のヒンジ片３２におけるナックル３２ｂには、その軸線方向中間部にピン３５が設けられている。このピン３５はナックル３２ｂを半径方向に貫いて設けられる。一方、軸３４には図３に示すようにすり割り３６が形成され、該すり割りを半径方向で横切るようにピン３７が設けられている。そして、それらのピン３５，３７には、コイルスプリング３８の各端が掛けられている。この場合、コイルスプリング３８は、カバー２０がベースプレート１０に対して閉じる方向にテンションがかけられた状態で装着されている。すなわち、コイルスプリング３８は捻られた状態でピン３５，３７に掛けられている。
なお、コイルスプリング３８の代わりに、トーションスプリングを設けてもよい。要は、カバー２０が開放状態にあるときにそのカバー２０を閉塞方向に付勢する付勢手段であれば、その種類は問わない。
【００１６】
係止手段３９は、図２に示すように、操作部としての押し込みボタン４０と、該押し込みボタンを付勢するスプリング４１とによって構成されている。
押し込みボタン４０は、図５に示すように、裏面に爪４２を備えている。この押し込みボタン４０の基部４０ａは、表面板２１の裏面とリッド２２の表面との間に挟持された状態で保持されている。そして、押し込みボタン４０は、カバー２０に対して上下方向に摺動自在となるように装着されている。また、基部４０ａと表面板２１の裏面に突設された受け部２１ｄとの間にはスプリング４１が介装されている。そして、押し込みボタン４０は、スプリング４１によってカバー２０の外方へ向けて付勢されている。また、押し込みボタン４０の爪４２は、リッド２２の孔２９に挿通されてリッド２２の裏面から突出している。この爪４２は、カバー２０が閉塞された（閉じた）際にベースプレート１０の孔１４に進入して段部１４ａに係合可能となっている。爪４２の先端には図６（Ｃ）に示すように傾斜部４２ａが形成され、この傾斜部４２ａがベースプレート１０の孔１４の周縁に当たると、爪４２ひいては押し込みボタン４０はスプリング４１の付勢力に抗してカバー２０の内方に移動し、カバー２０の押し込みに伴って爪４２は孔１４に進入する。この状態で、さらにカバー２０が押し込まれると、爪４２は段部１４ａまでに至り、スプリング４１の付勢力によって段部１４ａに係合される。
以上の係止手段３９は、リッド２２を表面板２１にねじ止めする前にリッド２２に組み付けられる。
なお、押し込みボタン４０と爪４２とは  互いに別の部材によって構成されていてもよい。
【００１７】
次に、カバー装置１の取り付け方法及び使用方法について説明する。
図４に示すように、カバー装置１は、カバー２０をコイルスプリング３８の付勢力に抗して開放した状態で、ベースプレート１０の孔１１をコンセント２の表面部２ａに嵌合させ、ベースプレート１０の孔１３に挿通させたねじ４３を締め付けることによって、壁３に取り付けられる。
そして、カバー装置１を壁に取り付けた後に、カバー２０から手を離すと、カバー２０はコイルスプリング３８の付勢力によって、ベースプレート１０に対して矢印方向に回動され、図５に示すように、係止手段３９の爪４２がベースプレート１０の孔１４の段部１４ａに自動的に係合される。
【００１８】
コンセント２を使用する際には、図６（Ａ）の状態から押し込みボタン４０をスプリング４１の付勢力に抗してカバー２０の内方に向けて押し込み、図６（Ｂ）に示すように爪４２をベースプレート１０の孔１４の段部１４ａから離脱させ、カバー２０をベースプレート１０から引き離す。すると、カバー２０は、ヒンジ２７のコイルスプリング３８の付勢力に抗して開放される。
なお、この際に、２つの押し込みボタン４０，４０にそれぞれ親指と中指又は薬指を掛けてその両ボタンを押した状態で、簡単にカバー２０を開けるように、カバー２０の自由端部とベースプレート１０との間に段部を形成し、カバー２０のその段部裏面に人差し指が掛けられるような構造としておくことが好ましい。或いは、カバー２０の自由端部側の側壁の一部にローレット目（滑り止め）を設けておくことが好ましい。
この状態で、コンセント２２のプラグ差込口にプラグ（図示せず）が差し込まれる。プラグが差し込まれた状態ではプラグやそのプラグに接続されたコードによってカバー２０が閉塞されるのが妨げられるので、カバー２０は閉塞されない。
【００１９】
一方、プラグをプラグ差込口から引き抜くと、カバー２０は、ヒンジ２７のコイルスプリング３８の付勢力によって閉塞方向に回動され、そして、図６（Ｃ）に示すように、爪４２の傾斜部４２ａがベースプレート１０の孔１４の周縁に当接し、さらに孔１４に進入して、図６（Ａ）に示すように、段部１４ａに係合する。
【００２０】
以上、本発明の実施形態について説明したが、本発明は、かかる実施形態に限定されるものではなく、その要旨を逸脱しない範囲で種々変形可能であることはいうまでもない。
【００２１】
例えば、上記実施形態では、押し込みボタン４０を２つ設けた場合について説明したが、１つであつてもよい。また、押し込みボタン４０の代わりにレバーその他の操作部を設けてもよいし、１つは押し込みボタン４０とし、他方は押し込みボタン以外の操作部、例えばレバーとしてもよい。この場合の設置場所は、幼児が片手で容易に操作できないような位置、例えば幼児が片手では同時に操作できないような距離を隔てて２つの操作部を設けることが好ましい。また、操作部の構造は、同時に操作できないような構造とすることが好ましい。
【図面の簡単な説明】
【００２２】
【図１】本発明に係るコンセントカバー装置を示す斜視図である。
【図２】カバー装置の分解斜視図である。
【図３】カバー装置におけるヒンジの一部を切欠いて示す斜視図である。
【図４】カバーが開放された状態を示す斜視図
【図５】図１におけるV―V線断面図で、カバー装置を壁に取り付けた状態を示す断面図である。
【図６】カバー装置における係止手段の動作図である。
【符号の説明】
【００２３】
１  カバー装置
２  コンセント
３  壁
１０  ベースプレート
１１  孔
１４  孔
１４ａ  段部
２０  カバー
２１  表面板
２２  リッド
２７  ヒンジ
３８  コイルスプリング
３９  係止手段
４０  押し込みボタン（操作部）
４１  スプリング
４２  爪
【図１】
2006236677.tif 000003
【図２】
2006236677.tif 000004
【図３】
2006236677.tif 000005
【図４】
2006236677.tif 000006
【図５】
2006236677.tif 000007
【図６】
2006236677.tif 000008